(57)【要約】【課題】安価で構成が単純な副ガイドレールを用いて光ピックアップの傾きを調整できる「ディスク装置」を提供する。【解決手段】光ピックアップ４はシャーシ１に固定された主ガイドレール２と副ガイドレール３によって往復動自在に支持されている。副ガイドレール３は、光ピックアップ４の移動方向へ延びる平坦状のガイド板部１１と、ガイド板部１１の長手方向両端部から光ピックアップ４と逆側に突出する一対の調整部１２，１３と、各調整部１２，１３から屈曲してガイド板部１１の長手方向と平行に延びる一対のばね板部１４，１５とを有しており、一対の調整ねじ１０を調整部１２，１３の貫通孔１２ａ，１３ａに挿入してねじ孔１ａ，１ｂに螺合することでシャーシ１に固定され、調整ねじ１０の締め加減によってシャーシ１に対する高さが調整可能となっている。【選択図】図４
2015095269.tif 000002
【特許請求の範囲】
【請求項１】
シャーシに主ガイドレールと副ガイドレールが平行に対向配置されており、これら主ガイドレールと副ガイドレールに沿って光ピックアップがディスク状記録媒体の半径方向へ往復移動されると共に、前記シャーシに対する前記副ガイドレールの長手方向両端部の高さが別々の調整ねじによって調整可能となっているディスク装置において、
前記副ガイドレールが、前記光ピックアップに係合して該光ピックアップの移動方向へ延びる平坦状のガイド板部と、このガイド板部の長手方向両端部で前記光ピックアップの逆側に突設された一対の調整部と、これら調整部から前記ガイド板部と略平行な方向へ片持ち梁状に延びる一対のばね板部とを有する一体形成品からなり、
前記ばね板部の自由端側を前記シャーシの板面に支持させた状態で、前記調整ねじが前記調整部に設けた貫通孔を挿通して前記シャーシのねじ孔に螺合されていることを特徴とするディスク装置。
【請求項２】
請求項１の記載において、前記ばね板部の自由端側に位置決め部が形成されており、この位置決め部を前記シャーシに設けた規制部と凹凸嵌合することにより、前記ばね板部の自由端側が前記シャーシの板面と平行な面内方向に移動規制されるようになし、かつ、前記貫通孔と前記位置決め部が前記光ピックアップの移動方向と略平行な直線に沿って配置されていることを特徴とするディスク装置。
【請求項３】
請求項２の記載において、少なくとも一方の前記ばね板部の先端に掛止部が形成されており、この掛止部を前記シャーシに設けた仮止孔に挿入することにより、前記ばね板部の自由端側が前記シャーシの板面と直交する方向へ移動規制されるようになし、かつ、前記貫通孔と前記位置決め部および前記掛止部が前記光ピックアップの移動方向と略平行な直線に沿って配置されていることを特徴とするディスク装置。
【請求項４】
請求項１の記載において、前記ガイド板部と前記調整部が起立部を介して段違いに連結されていることを特徴とするディスク装置。
【請求項５】
請求項４の記載において、前記副ガイドレールが折曲加工された金属板からなると共に、前記ガイド板部に長手方向に沿って延びるリブが形成されていることを特徴とするディスク装置。
【発明の詳細な説明】
【技術分野】
【０００１】
本発明は、光ピックアップを主ガイドレールと副ガイドレールに沿って往復移動させるディスク装置に係り、特に、副ガイドレールの高さ調整機能を有する光ピックアップのガイド機構に関するものである。
【背景技術】
【０００２】
ＣＤやＤＶＤ等のディスク状記録媒体に情報を記録／再生するディスク装置において、光ピックアップをＣＤやＤＶＤ等のディスク状記録媒体の半径方向へ往復移動させる際に、ディスク状記録媒体のディスク面に対して光ピックアップの光軸が適正な直角度になっていないと、ディスク状記録媒体に対して正確に情報を記録／再生することができなくなる。そのため、光ピックアップをガイドする主ガイドレールと副ガイドレールのうち、副ガイドレールの両端部の高さを別々の調整ねじによって調整することで、光ピックアップの傾きを調整可能としたガイド機構が広く採用されている。
【０００３】
この種のガイド機構の一例として、断面円形状の金属棒を副ガイドレールとして使用し、この副ガイドレールの両端部をそれぞれ保持部材を介してシャーシに取り付けた構造が知られている。これら保持部材には、副ガイドレールを上方へ付勢するばねと、ばねの付勢力を上から受ける調整ねじが備えられており、調整ねじの締め加減によって副ガイドレールの両端部の高さを別々に調整可能としている。
【０００４】
このように概略構成された光ピックアップのガイド機構によれば、副ガイドレールの高さを調整する際に、光ピックアップは主ガイドレールを中心軸として僅かに回動すると共に、副ガイドレールに対しても相対的に回動することになるが、副ガイドレールが断面円形状であるため、光ピックアップを副ガイドレールに対して円滑に回動させることができる。しかし、副ガイドレールとして高価な金属棒を使用する必要があり、また、ばねと調整ねじを備えた保持部材を２組必要とするため、コストアップになったり調整作業が煩雑になるといった問題がある。
【０００５】
そこで従来より、材料コストの低減と部品点数の削減対策として、金属板にガイド部やばね部等を一体形成して副ガイドレールとなし、このような金属板の撓み量を調整ねじの締め加減で変えることによって、副ガイドレールの高さを調整するようにした光ピックアップのガイド機構が提案されている（例えば、特許文献１参照）。図１１に示すように、この副ガイドレール１００は細長い金属板をフォーミングしたものからなり、その幅方向の一側縁部には長手方向に切れ目１０１で区画して撓みやすくした腕部１０２が形成されている。この腕部１０２の中央には突部１０２ａが形成されており、副ガイドレール１００をシャーシ１０３に取り付ける際、突部１０２ａはシャーシ１０３の折曲片１０３ａに設けたスリット１０４に押し込まれるようになっている。
【０００６】
副ガイドレール１００の幅方向の他側縁部には光ピックアップ１１０の移動方向へ延びるガイド部１０５が形成されており、ガイド部１０５の幅方向の中央部は図中上方を凹面とする湾曲部１０５ａとなっている。この湾曲部１０５ａはガイド部１０５の長手方向の全長に亘って形成されており、ガイド部１０５の長手方向の両端部には湾曲部１０５ａを貫通する貫通孔１０６が設けられている。各貫通孔１０６にはそれぞれ調整ねじ１０７が挿通され、これら調整ねじ１０７をシャーシ１０３に設けたねじ孔１０８にねじ込むことによって、副ガイドレール１００はシャーシ１０３に取り付けるようになっている。
【０００７】
図１２に示すように、シャーシ１０３には光ピックアップ１１０を挟んで主ガイドレール１０９と副ガイドレール１００が平行に配置されており、この光ピックアップ１１０の一端側に主ガイドレール１０９を挿通させている。また、光ピックアップ１１０の他端側には挟持部１１１が設けられており、この挟持部１１１に副ガイドレール１００のガイド部１０５を挟持させている。図１３に示すように、挟持部１１１は断面半円形状の上部１１１ａと可撓性を有する平板状の下部１１１ｂを有する形状になっており、上部１１１ａが湾曲部１０５ａの凹面に接触した状態でガイド部１０５を挟んでいる。
【０００８】
このように構成されたガイド機構では、調整ねじ１０７の締め加減によって副ガイドレール１００の高さを調整することができる。例えば、副ガイドレール１００が図１２に示す定位置に保持されている状態から調整ねじ１０７を締め付け方向に回すと、副ガイドレール１００が弾性変形しながら突部１０２ａを支点に図中の時計方向へ回動するため、光ピックアップ１１０は主ガイドレール１０９を中心軸として上方へ変位する。その際、光ピックアップ１１０の挟持部１１１とガイド部１０５の相対位置が変化するが、挟持部１１１が湾曲部１０５ａの曲面上をガイド部１０５の幅方向へ円滑に移動するため、副ガイドレール１００の高さ調整をスムーズに行うことができる。その反対に調整ねじ１０７を緩める方向に回すと、副ガイドレール１００は弾性変形しながら突部１０２ａを支点に図中の反時計方向へ回動するため、光ピックアップ１１０は主ガイドレール１０９を中心軸として下方へ変位する。この場合も、光ピックアップ１１０の挟持部１１１が湾曲部１０５ａの曲面上をガイド部１０５の幅方向へ円滑に移動するため、副ガイドレール１００の高さ調整をスムーズに行うことができる。このように高価な金属棒の代わりに安価な金属板を用いて副ガイドレール１００を構成し、この副ガイドレール１００にガイド部１０５やばね変形部等を一体形成することにより、安価で単純構造のガイド機構が実現されている。
【先行技術文献】
【特許文献】
【０００９】
【特許文献１】特開２００７−２００４４９号公報
【発明の概要】
【発明が解決しようとする課題】
【００１０】
特許文献１に開示された従来のガイド機構では、調整ねじ１０７の締め加減によって副ガイドレール１００の高さを調整する際に、副ガイドレール１００が突部１０２ａを支点(固定端)として幅方向へ片持ち梁状に弾性変形し、それに伴って自由端側に形成されたガイド部１０５と光ピックアップ１１０の挟持部１１１との交差角度が変化するという構造であるため、ガイド部１０５の傾きによって光ピックアップ１１０の円滑な回動が阻害される虞がある。そのため、挟持部１１１を断面半円形状の上部１１１ａと可撓性を有する平板状の下部１１１ｂとを組み合わせた複雑な形状とし、この挟持部１１１にガイド部１０５を挟持させることにより、ガイド部１０５の傾きに関わらず挟持部１１１と湾曲部１０５ａの接触状態が変化しないようにしているが、上記したような複雑な形状の挟持部１１１は製造上の困難性を伴いコストも上昇するという問題がある。
【００１１】
また、前述した従来のガイド機構は、副ガイドレール１００が幅方向に弾性変形することで高さ調整するという構造であるため、弾性変形の固定端側となる突部１０２ａと自由端側のガイド部１０５との間に相応の距離が必要となり、副ガイドレール１００が幅方向に大型化してしまうという問題もある。
【００１２】
本発明は、このような従来技術の実情に鑑みてなされたもので、その目的は、安価で構成が単純な副ガイドレールを用いて光ピックアップの傾きを調整できるディスク装置を提供することにある。
【課題を解決するための手段】
【００１３】
上記の目的を達成するために、本発明は、シャーシに主ガイドレールと副ガイドレールが平行に対向配置されており、これら主ガイドレールと副ガイドレールに沿って光ピックアップがディスク状記録媒体の半径方向へ往復移動されると共に、前記シャーシに対する前記副ガイドレールの長手方向両端部の高さが別々の調整ねじによって調整可能となっているディスク装置において、前記副ガイドレールが、前記光ピックアップに係合して該光ピックアップの移動方向へ延びる平坦状のガイド板部と、このガイド板部の長手方向両端部で前記光ピックアップの逆側に突設された一対の調整部と、これら調整部から前記ガイド板部と略平行な方向へ片持ち梁状に延びる一対のばね板部とを有する一体形成品からなり、前記ばね板部の自由端側を前記シャーシの板面に支持させた状態で、前記調整ねじが前記調整部に設けた貫通孔を挿通して前記シャーシのねじ孔に螺合されているように構成した。
【００１４】
このように構成されたディスク装置において、副ガイドレールにガイド板部と一対の調整部および一対のばね板部が一体形成されており、調整部の貫通孔に挿通した調整ねじの締め加減によってばね板部が弾性変形すると、それに伴って光ピックアップに係合するガイド板部が昇降動作する。その際、ばね板部は調整部からガイド板部と略平行な方向へ片持ち梁状に延びており、ガイド板部がシャーシの板面に対し傾くことなく平行な姿勢を保ったまま昇降するため、ガイド板部を単純形状の溝部を介して光ピックアップに係合するだけで良く、副ガイドレールの高さ調整を単純な構成で高精度に行うことができる。
【００１５】
上記の構成において、ばね板部の自由端側に位置決め部が形成されており、この位置決め部をシャーシに設けた規制部と凹凸嵌合することにより、ばね板部の自由端側がシャーシの板面と平行な面内方向に移動規制されるようになし、かつ、貫通孔と位置決め部が光ピックアップの移動方向と略平行な直線に沿って配置されていると、かしめ等の面倒な固定手段を用いなくても、ばね板部をシャーシに簡単かつ正確に位置決めすることができて好ましい。
【００１６】
この場合において、少なくとも一方のばね板部の先端に掛止部が形成されており、この掛止部をシャーシに設けた仮止孔に挿入することにより、ばね板部の自由端側がシャーシの板面と直交する方向へ移動規制されるようになし、かつ、貫通孔と位置決め部および掛止部が光ピックアップの移動方向と略平行な直線に沿って配置されていると、ばね板部自身の弾性を利用してシャーシに仮固定でき組立作業性が向上する。
【００１７】
また、上記の構成において、ガイド板部と調整部が起立部を介して段違いに連結されていると、ガイド板部の剛性が断面Ｌ字状にすることで高められる。この場合において、副ガイドレールが折曲加工された金属板からなると共に、ガイド板部に長手方向に沿って延びるリブが形成されていると、ガイド板部の剛性をより一層高めることができる。
【発明の効果】
【００１８】
本発明のディスク装置では、金属板等からなる副ガイドレールにガイド板部と一対の調整部および一対のばね板部が一体形成されており、調整部の貫通孔に挿通した調整ねじの締め加減によってばね板部が弾性変形すると、それに伴って光ピックアップに係合するガイド板部が昇降動作するようになっている。その際、ばね板部は調整部からガイド板部と略平行な方向へ片持ち梁状に延びており、ガイド板部がシャーシの板面に対し傾くことなく平行な姿勢を保ったまま昇降するため、ガイド板部を単純形状の溝部を介して光ピックアップに係合するだけで良く、副ガイドレールの高さ調整を単純な構成で高精度に行うことができる。
【図面の簡単な説明】
【００１９】
【図１】本発明の実施形態例に係るディスク装置の要部平面図である。
【図２】該ディスク装置の裏面図である。
【図３】該ディスク装置を裏面側から見た斜視図である。
【図４】該ディスク装置に備えられる副ガイドレールの平面図である。
【図５】該副ガイドレールの正面図である。
【図６】該副ガイドレールの側面図である。
【図７】該副ガイドレールの斜視図である。
【図８】該副ガイドレールをシャーシに取り付ける組立工程を示す説明図である。
【図９】該副ガイドレールをシャーシに取り付けた状態を示す正面図である。
【図１０】該副ガイドレールをシャーシに取り付けた状態を示す側面図である。
【図１１】従来例に係る光ピックアップのガイド機構を示す要部の斜視図である。
【図１２】該ガイド機構の要部を示す側面図である。
【図１３】図１２のＡ部を拡大して示す詳細図である。
【発明を実施するための形態】
【００２０】
発明の実施の形態について図面を参照して説明すると、図１〜図３に示すように、本発明の実施形態例に係るディスク装置は、金属板製のシャーシ１と、シャーシ１の裏面側に固定された主ガイドレール２および副ガイドレール３と、これら主ガイドレール２と副ガイドレール３によって往復動自在に支持された光ピックアップ４等を備えている。
【００２１】
シャーシ１の裏面側にはスピンドルモータ５が取り付けられており、このスピンドルモータ５の回転軸にターンテーブル６が取着されている。ターンテーブル６はシャーシ１に設けられた開口部７を通して表面側に露出しており、ターンテーブル６上に載置された図示せぬディスクに対して光ピックアップ４が情報の記録／再生を行うようになっている。また、シャーシ１の裏面側にはスレッドモータ８が取り付けられており、このスレッドモータ８の回転がウォームやギア列等からなる減速歯車機構９を介して光ピックアップ４に伝達されることにより、光ピックアップ４は主ガイドレール２と副ガイドレール３に沿って開口部７内を往復移動する。
【００２２】
主ガイドレール２は断面円形状の金属棒からなり、その両端部はシャーシ１の裏面側に固定されている。一方、副ガイドレール３は所定形状にフォーミングされた金属板からなり、この副ガイドレール３は２本の調整ねじ１０を用いてシャーシ１の裏面側に固定されている。光ピックアップ４の両側面には係合部４ａ，４ｂが突設されており、一方の係合部４ａに形成された軸孔に主ガイドレール２が挿通されると共に、他方の係合部４ｂに形成された凹溝に副ガイドレール３の後述するガイド板部１１が挿入されている。
【００２３】
図４〜図７に示すように、副ガイドレール３は、光ピックアップ４の移動方向（図４のＸ１−Ｘ２方向）へ延びる平坦状のガイド板部１１と、ガイド板部１１の長手方向両端部からＹ１方向へ突出する一対の調整部１２，１３と、各調整部１２，１３から屈曲してガイド板部１１の長手方向と平行に延びる一対のばね板部１４，１５とを有しており、これらはＳＵＳ等のばね性に富む金属板をプレス加工することで一体形成されている。
【００２４】
ガイド板部１１は水平部１１ａの一側縁から起立部１１ｂが直角に折れ曲がる断面Ｌ字形に形成されており、光ピックアップ４に設けられた係合部４ｂの凹溝が水平部１１ａと係合するようになっている。水平部１１ａの幅方向中央には断面半円状のリブ１１ｃが長手方向全域に亘って形成されており、このリブ１１ｃによってガイド板部１１の剛性が高められている。
【００２５】
一対の調整部１２，１３は起立部１１ｂの両端部から直角に折れ曲がって水平部１１ａから離れる方向へ突出しており、このように水平部１１ａと調整部１２，１３が起立部１１ｂを介して段違いに連結されているため、水平部１１ａが延在する平面と調整部１２，１３が延在する平面は互いに平行となる。調整部１２，１３にはそれぞれ貫通孔１２ａ，１３ａが穿設されており、後述するように、一対の調整ねじ１０を貫通孔１２ａ，１３ａに挿入してシャーシ１のねじ孔１ａ，１ｂに螺合することにより、副ガイドレール３がシャーシ１に固定されるようになっている。
【００２６】
一方のばね板部１４は、調整部１２から斜め方向へ延びる傾斜部１４ａと、傾斜部１４ａの先端から水平方向へ延びる平坦部１４ｂとを有しており、全体的には調整部１２から図４のＸ２方向へ延びるくの字状の弾性アームとなっている。傾斜部１４ａには延出方向に沿ってスリット１４ｃが形成されており、このスリット１４ｃによってばね板部１４の可撓性が高められている。また、平坦部１４ｂには位置決め部としての円形孔１４ｄが穿設されており、平坦部１４ｂの先端側には仮固定部として機能する段付き形状の掛止部１４ｅが形成されている。
【００２７】
他方のばね板部１５は、調整部１３から斜め方向へ延びる傾斜部１５ａと、傾斜部１５ａの先端から水平方向へ延びる平坦部１５ｂとを有しており、全体的には調整部１３から図４のＸ２方向へ延びるくの字状の弾性アームとなっている。傾斜部１５ａには延出方向に沿ってスリット１５ｃが形成されており、このスリット１５ｃによってばね板部１５の可撓性が高められている。また、平坦部１５ｂには位置決め部としての長孔１５ｄが形成されており、この長孔１５ｄはスリット１５ｃに連続している。図４に示すように、一対の貫通孔１２ａ，１３ａと一対のばね板部１４，１５はＸ１−Ｘ２方向に延びる直線Ｐ上に配置されており、位置決め部としての円形孔１４ｄと長孔１５ｄおよび掛止部１４ｅも直線Ｐ上に配置されている。すなわち、貫通孔１２ａ，１３ａからばね板部１４，１５と位置決め部（円形孔１４ｄと長孔１５ｄ）を通って掛止部１４ｅに至る配列が同一の直線Ｐ上に設定されると共に、この直線Ｐがガイド板部１１の長手方向（Ｘ１−Ｘ２方向）と平行になるように設定されている。
【００２８】
このように構成された副ガイドレール３は、以下に説明するような手順によってシャーシ１に取り付けられる。ここで、図８（ａ）に示すように、シャーシ１には一対のねじ孔１ａ，１ｂと一対の規制突起１ｃ，１ｄおよび仮止孔１ｅが設けられており、これらは副ガイドレール３の貫通孔１２ａ，１３ａと位置決め部（円形孔１４ｄと長孔１５ｄ）および掛止部１４ｅと対応する位置関係で同一直線上に配列されている。
【００２９】
まず、図８（ｂ）に示すように、副ガイドレール３の掛止部１４ｅをシャーシ１の仮止孔１ｅに対して斜めに挿入し、両ばね板部１４，１５をシャーシ１の板面に沿って挿入方向へスライドすることにより、円形孔１４ｄと長孔１５ｄを対応する規制突起１ｃ，１ｄにそれぞれ凹凸嵌合する。その結果、図８（ｃ）に示すように、貫通孔１２ａ，１３ａが対応するねじ孔１ａ，１ｂに重なり、副ガイドレール３はシャーシ１に対して位置決めされると共に、シャーシ１から脱落しにくい仮止め状態となる。しかる後、このような仮止め状態にある副ガイドレール３に対して各貫通孔１２ａ，１３ａに調整ねじ１０を挿入し、これら調整ねじ１０をねじ孔１ａ，１ｂに螺合して締め付けることにより、副ガイドレール３をシャーシ１の裏面に固定する。
【００３０】
このように副ガイドレール３をシャーシ１に固定した状態において、各調整ねじ１０の締め加減によってシャーシ１に対する副ガイドレール３の高さを調整することができる。以下、かかる副ガイドレール３の高さ調整作業について図９と図１０を参照しながら説明する。なお、図９と図１０において、シャーシ１と副ガイドレール３の位置関係は天地逆に示されており、一対の調整ねじ１０は図９中に二点鎖線で示されている。
【００３１】
副ガイドレール３が調整ねじ１０によってシャーシ１に固定された状態にあるとき、両ばね板部１４，１５の傾斜部１４ａ，１５ａは調整ねじ１０からの締め付け力を受けて撓んでおり、ガイド板部１１の起立部１１ｂはシャーシ１の板面に対して離反している。また、ガイド板部１１の水平部１１ａは光ピックアップ４の係合部４ｂの凹溝に挿入されており、この水平部１１ａはシャーシ１の板面と平行な姿勢に保持されている。
【００３２】
この状態で貫通孔１２ａ，１３ａに挿入した調整ねじ１０を締め付け方向に回すと、調整ねじ１０の頭部に当接する調整部１２，１３がばね板部１４，１５の傾斜部１４ａ，１５ａの弾発力に抗して押圧されていき、それに伴ってガイド板部１１の起立部１１ｂとシャーシ１の板面との間隔が狭まる。ここで、調整部１２，１３はガイド板部１１の長手方向両端部で光ピックアップ４と逆側に突設されており、これら調整部１２，１３からばね板部１４，１５がガイド板部１１と平行な方向へ延びているため、ガイド板部１１の水平部１１ａはシャーシ１の板面に対して平行な姿勢を保ったまま図９において下降する。したがって、副ガイドレール３から光ピックアップ４の係合部４ｂに無理な力は掛からず、光ピックアップ４は主ガイドレール２を中心軸としてシャーシ１の板面に近付く方向へ変位する。
【００３３】
その反対に調整ねじ１０を緩める方向に回すと、調整部１２，１３がばね板部１４，１５の傾斜部１４ａ，１５ａからの弾発力を受けて持ち上がっていき、それに伴ってガイド板部１１の起立部１１ｂとシャーシ１の板面との間隔が広がる。この場合も、ガイド板部１１の水平部１１ａはシャーシ１の板面に対して平行な姿勢を保ったまま図９において上昇するため、副ガイドレール３から光ピックアップ４の係合部４ｂに無理な力は掛からず、光ピックアップ４は主ガイドレール２を中心軸としてシャーシ１の板面から離れる方向へ変位する。このように、調整ねじ１０の締め加減によって副ガイドレール３のガイド板部１１がシャーシ１の板面に対して平行な姿勢を保ったまま昇降動作するため、ガイド板部１１の水平部１１ａを単純形状の溝部を介して光ピックアップ４の係合部４ｂに係合するだけで良く、副ガイドレール３の高さ調整を単純な構成で高精度に行うことができる。
【００３４】
また、本実施形態例に係る副ガイドレール３では、各ばね板部１４，１５がそれぞれ、対応する調整部１２，１３から斜め方向へ延びる傾斜部１４ａ，１５ａと、傾斜部１４ａ，１５ａの先端から水平方向へ延びる平坦部１４ｂ，１５ｂを有すると共に、各平坦部１４ｂ，１５ｂに位置決め部としての円形孔１４ｄと長孔１５ｄが形成されており、これら円形孔１４ｄと長孔１５ｄおよび各貫通孔１２ａ，１３ａがガイド板部１１の長手方向と平行に延びる直線Ｐ上に配列された位置関係となっている。これにより、副ガイドレール３をシャーシ１に取り付ける組立作業時に、かしめやリベット止め等の面倒な固定手段を用いなくても、シャーシ１の規制突起１ｃ，１ｄに円形孔１４ｄと長孔１５ｄを凹凸嵌合するだけで、ばね板部１４，１５をシャーシ１の板面と平行な面内方向に簡単かつ正確に位置決めすることができる。
【００３５】
しかも、一方のばね板部１４の先端に段付き形状の掛止部１４ｅが形成されており、この掛止部１４ｅも前記直線Ｐ上に配列された位置関係となっているため、シャーシ１の仮止孔１ｅに掛止部１４ｅを挿入して掛止することにより、ばね板部１４，１５の自由端側をシャーシ１の板面と直交する方向へ移動規制することができる。したがって、副ガイドレール３が調整ねじ１０を用いてシャーシ１に固定される前の組立途中において、ばね板部１４，１５自身の弾性を利用して副ガイドレール３がシャーシ１に仮固定され、かかる仮止め状態の副ガイドレール３に対して調整ねじ１０の締め付け作業を簡単に行うことができる。
【００３６】
さらに、本実施形態例に係る副ガイドレール３は、金属板を断面Ｌ字状に屈曲して水平部１１ａと起立部１１ｂを有するガイド板部１１となし、この起立部１１ｂの長手方向両端部を折り曲げることで調整部１２，１３が一体形成されているため、光ピックアップ４に係合するガイド板部１１の剛性を高めることができる。しかも、水平部１１ａの幅方向中央部に長手方向に沿って延びるリブ１１ｃが形成されているため、金属板からなるガイド板部１１の剛性がより一層高められており、安価で高さ調整が簡単な副ガイドレール３を実現することができる。
【符号の説明】
【００３７】
１  シャーシ
１ａ，１ｂ  ねじ孔
１ｃ，１ｄ  規制突起（規制部）
１ｅ  仮止孔
２  主ガイドレール
３  副ガイドレール
４  光ピックアップ
４ａ，４ｂ  係合部
８  スレッドモータ
９  減速歯車機構９
１０  調整ねじ
１１  ガイド板部
１１ａ  水平部
１１ｂ  起立部
１１ｃ  リブ
１２，１３  調整部
１２ａ，１３ａ  貫通孔
１４，１５  ばね板部
１４ａ，１５ａ  傾斜部
１４ｂ，１５ｂ  平坦部
１４ｃ，１５ｃ  スリット
１４ｄ  円形孔（位置決め部）
１４ｅ  掛止部
１５ｄ  長孔（位置決め部）
【図１】
2015095269.tif 000003
【図２】
2015095269.tif 000004
【図３】
2015095269.tif 000005
【図４】
2015095269.tif 000006
【図５】
2015095269.tif 000007
【図６】
2015095269.tif 000008
【図７】
2015095269.tif 000009
【図８】
2015095269.tif 000010
【図９】
2015095269.tif 000011
【図１０】
2015095269.tif 000012
【図１１】
2015095269.tif 000013
【図１２】
2015095269.tif 000014
【図１３】
2015095269.tif 000015